(57)【要約】【課題】シートに備え付けられた各種の電気機器に対して電線取り回しの複雑化や電波障害等を発生させることなくクリアな状態で信号の送受信をすることができる自動車用シートを提供すること。【解決手段】シート１近傍のボディ２０側に設けられた光信号送受信器１０と同軸上に位置し、該光信号送受信器１０から出力され、あるいは光信号送受信器に向けて空中を伝播する光信号を送受信する光信号送受信器１１を設けた。また、シート１は前後にスライド自在なものとされており、シート１が前後および／または上下にスライドした場合にもボディ側の光信号送受信器１０とシート側の光信号送受信器１１が同軸上に位置するよう構成しておくことが好ましい。【選択図】　　　図１
2004034764.tif 000002
【特許請求の範囲】
【請求項１】
シート近傍のボディ側に設けられた光信号送受信器と同軸上に位置し、該光信号送受信器から出力され、あるいは該光信号送受信器に向けて空中を伝播する光信号を送受信する光信号送受信器を設けたことを特徴とする自動車用シート。
【請求項２】
シートは前後および／または上下にスライド自在なものとされており、シートが前後および／または上下にスライドした場合にも光信号送受信器がボディ側に設けられた光信号送受信器と同軸上に位置するよう構成されている請求項１に記載の自動車用シート。
【発明の詳細な説明】
【０００１】
【発明の属する技術分野】
本発明は、シートに備え付けられた各種の電気機器に対して電線取り回しの複雑化や電波障害等を発生させることなくクリアな状態で信号の送受信をすることができる自動車用シートに関するものである。
【０００２】
【従来の技術】
従来から、自動車の車室内のインスツルメントパネルやドア等には、オーディオ機器や自動車電話や画像モニター等の種々の電気機器が備えられている。そして、これらは全て電気信号によって作動が制御されるのが普通であり、これら電気機器とボディ側にある出力源とは電線によって連結されているのが普通である。一方、最近では出力スピーカや画像モニター、あるいは各種センサー等の精密な電気機器をシートに備え付けたものも提案されつつある。しかしながら、自動車用シートの場合は前後あるいは上下方向のスライド機構やリクライニング機構を有しているために、シートの移動に応じて電線をフレキシブルに収縮させる必要があり、電線の長さが余分になったり取り回しが複雑になったりするという問題点があった。
【０００３】
そこで、電線を用いずに無線形式により電波を飛ばしてシート側の電気機器を作動させることが検討されたが、自動車の車室内は車体により閉塞された非常にノイジーな空間であり、電波障害が発生しやすい場所である。このため、正確に電波情報を伝達することができず、電気機器を作動できなかったり、誤動作をさせてしまう等の問題点があった。
【０００４】
【発明が解決しようとする課題】
本発明は上記のような従来の問題点を解決して、信号の伝播手段として光信号を用いることにより、シートに備え付けられた各種の電気機器に対して電線取り回しの複雑化や電波障害等を発生させることなくクリアな状態で信号の送受信をすることができる自動車用シートを提供することを目的として完成されたものである。
【０００５】
【課題を解決するための手段】
上記の課題を解決するためになされた本発明の自動車用シートは、シート近傍のボディ側に設けられた光信号送受信器と同軸上に位置し、該光信号送受信器から出力され、あるいは該光信号送受信器に向けて空中を伝播する光信号を送受信する光信号送受信器を設けたことを特徴とするものである。
【０００６】
【発明の実施の形態】
以下に、図面を参照しつつ本発明の好ましい実施の形態を示す。
図中において、１はシートクッション１ａとシートバック１ｂとからなるシート本体、２はヘッドレスト、２０はボディであり、前後および／または上下方向のスライド機構やリクライニング機構（図示せず）により自由に動くものである点は、従来のこの種の自動車用シートと基本的に同じである。
【０００７】
そして本発明では、シート近傍のボディ２０側に設けられた光信号送受信器１０と同軸上に位置し、該光信号送受信器１０から出力され、あるいは該光信号送受信器１０に向けて空中を伝播する光信号を送受信する光信号送受信器１１を設けた点に特徴的構成を有する。
即ち、前記ボディ２０側に設けられた光信号送受信器１０と、シート側に設けられた光信号送受信器１１とで信号のやりとりを行うことで、車体により閉塞されて非常にノイジーで電波障害が発生しやすい密閉空間であるにもかかわらず、信号を正確に伝播させることを可能とし、シート側に備え付けられた電気機器１２を精度よく作動させ、またシート側からの情報を正確にボディ２０側に伝達するのである。
【０００８】
前記ボディ２０側に設けられた光信号送受信器１０と、シート側に設けられた光信号送受信器１１の構成は、従来のような電線を無くすことも目的のひとつとするもので、空中を伝播してくる光信号の送受信を行う形式であり、両者間に光ファイバーも存在しない。従って、ボディ２０側に設けられた光信号送受信器１０と、シート側に設けられた光信号送受信器１１とは同軸上に位置する必要があり、更に、伝播路の途中を障害物や搭乗者の手足等で遮られることは困るので、図示のように、例えばシートクッション１ａの下部において前後の位置関係で設置するのが好ましい。
また、シートは前後および／または上下にスライド自在なものとされているのが普通であるから、シートが前後および／または上下にスライドした場合にも、シート側に設けられた光信号送受信器１１がボディ２０側に設けられた光信号送受信器１０と同軸上に位置するように、例えば角度調整機構等を設けた構成としておくことも好ましい。
【０００９】
一方、シートには前記光信号送受信器１１で受信した光信号により作動する各種の電気機器１２が備え付けられている。
この電気機器１２は、図２に示されるように、前記光信号送受信器１１で受けた光信号の入力により作動するタイプのものを用いることができる。また、図３に示されるように、光信号送受信器１１で受けた光信号を電気信号に変換する、例えばＰＩＮフォトダイオードやアバランシェダイオード（ＡＰＤ）等の光電変換器を備え、この光電変換器で得られた電気信号の入力により作動するタイプのものを用いることもできる。
なお、光信号送受信器１０、１１には、例えば発光ダイオード（ＬＥＤ）やレーザダイオード（ＬＤ）等の発光素子を介し、ボディ２０あるいはシート側から発っせられる電気信号を光信号に変換した状態で入力が行われる。
【００１０】
前記電気機器１２の具体的な例としては、例えば、シートクッション１ａの上部やヘッドレスト２に設けた小出力のスピーカがある。このようなスピーカは、電波障害や騒音妨害を全く受けることなく確実に着座者に音声情報を伝達することができるので、ハンズフリー通話にも便利であり、また安全運転上も好ましいものである。
その他、着座者が音声を発する際に生ずる着座者の骨伝導振動を検出する振動ピックアップ型マイクロフォンがある。このような振動ピックアップ型マイクロフォンを、シートクッション１ａやシートバック１ｂに収納しておけば、着座者の骨盤、尾てい骨、肩甲骨、背骨、肋骨などの振動をピックアップして着座者の音声のみを電気信号として明瞭に取り出すことができる。また、ヘッドレスト２に収納しておけば、頭蓋骨の振動を同様に取り出すことができる。このようにして取り出した振動を、ボイスコマンドとして車室内の電気機器に伝達すれば、信号の伝達が確実であり誤動作を生じるおそれもない。
その他、シートクッション１ａの背面側に画像モニターを設けた場合には、信号が電波障害を受けることなく確実に伝達されるため、常にクリアな映像と音声が保証されることとなる。
【００１１】
このように本発明では、シート近傍のボディ２０側に設けられた光信号送受信器１０と同軸上に位置し、該光信号送受信器１０から出力され、あるいは該光信号送受信器１０に向けて空中を伝播する光信号を受信する光信号送受信器１１を設けた構成としたので、従来のように信号の送受信に電線を全く用いないため、シートを前後あるいは上下にスライドさせたりリクライニング等して移動させても電線取り回しの複雑化を生じることがなく確実に信号の送受信が行えることとなる。また、電波を用いた無線形式と異なり、非常にノイジーな空間で電波障害が発生しやすい場所であるにもかかわらず確実に信号の送受信を行えるので、常に電気機器１２を正常に作動させることが可能となる。この結果、電気機器１２の誤作動がなくなり気持ちよく、かつ安全に電気機器１２を利用できることとなる。
【００１２】
【発明の効果】
以上の説明からも明らかなように、本発明は信号の伝播手段として光信号を用いることにより、シートに備え付けられた各種の電気機器に対して電線取り回しの複雑化や電波障害等を発生させることなくクリアな状態で信号の送受信をすることができるものである。
よって本発明は従来の問題点を一掃した自動車用シートとして、産業の発展に寄与するところは極めて大である。
【図面の簡単な説明】
【図１】本発明の実施の形態を示す正面図である。
【図２】光信号の伝播を示すフロー図である。
【図３】その他の光信号の伝播を示すフロー図である。
【符号の説明】
１　　シート
１ａ　シートクッション
１ｂ　シートバック
２　　ヘッドレスト
１０　ボディ側に設けた光信号送受信器
１１　シート側に設けた光信号送受信器
１２　電気機器
２０　ボディ
【図１】
2004034764.tif 000003
【図２】
2004034764.tif 000004
【図３】
2004034764.tif 000005